(57)【要約】【課題】自動取引装置での取引時に顧客に電子マネーの残高を再確認させる手段を提供する。【解決手段】口座情報等と共に電子マネーの残高をＩＣカードから読取るカード読取書込部５と、取引毎の顧客の操作の誘導や取引過程の状況等を示す画面情報を格納している誘導画面格納部３と、制御部７により誘導画面格納部３から読み出された画面情報による画面表示を行うと共に顧客からの入力を受付ける操作表示部２とを有し、取引実行時に操作表示部２に表示される画面中に、制御部７がカード読取書込部５により読取った、電子マネーの残高を表示するよう制御する。【選択図】        図１
2006190095.tif 000002
【特許請求の範囲】
【請求項１】
口座情報等と共に電子マネーの残高をＩＣカードから読取るカード読取書込部と、
取引毎の顧客の操作の誘導や取引過程の状況等を示す画面情報を格納している誘導画面格納部と、
前記誘導画面格納部から読み出された画面情報による画面表示を行うと共に顧客からの入力を受付ける操作表示部とを有し、
取引実行時に前記操作表示部に表示される画面中に、前記カード読取書込部が読取った、電子マネーの残高を表示することを特徴とする自動取引装置。
【請求項２】
口座情報等と共に電子マネーの残高等をＩＣチップに書込み可能としたＩＣカードと、
顧客の操作により取引を実行する自動取引装置とより成り、
該自動取引装置は、前記ＩＣカードから口座情報等と共に電子マネーの残高を読取るカード読取書込部と、取引毎の顧客の操作の誘導や取引過程の状況および電子マネーの補充を誘導する画面等を示す画面情報を格納している誘導画面格納部と、前記誘導画面格納部から読み出された画面情報による画面表示を行うと共に顧客からの入力を受付ける操作表示部とを有し、
取引実行時に前記自動取引装置は前記操作表示部に表示される画面中に、前記カード読取書込部が読取った、電子マネーの残高と補充ボタンを表示して、該補充ボタンが押下された場合、前記電子マネーの補充を誘導する画面情報を前記誘導画面格納部から読み出して前記操作表示部に表示することを特徴とする電子マネー補充システム。
【請求項３】
請求項２において、
前記自動取引装置の前記誘導画面格納部に、現金で補充するか口座から補充するかを選択させる補充方法の選択画面情報を格納し、
前記補充ボタンが押下された場合、前記補充方法の選択画面情報を読み出して、前記操作表示部に表示することを特徴とする電子マネー補充システム。
【請求項４】
請求項３において、
口座からの補充が選択されてかつ、ＩＣカード上に複数の口座が存在する場合は、電子マネーを補充する口座を選択させることを特徴とする電子マネー補充システム。
【請求項５】
請求項４において、
前記自動取引装置は、前記の前記補充方法の選択画面で口座からの補充が選択された場合、顧客の口座残高等を保有するホストコンピュータから前記ＩＣカードから読取った口座情報に該当する口座の残高を取得して前記操作表示部に表示することを特徴とする電子マネー補充システム。
【請求項６】
請求項２において、
ＩＣカードに電子マネーの下限額と電子マネーの補充の要否を示す情報を保有させると共に、前記下限額と電子マネーの残高を比較する演算部を備え、
前記演算部で比較の結果、電子マネーの残高が下限額以下である場合、補充要の情報を書込み、
前記カード読取書込部により読取られた補充要否の情報が、補充要のとき、電子マネーの残高を表示することを特徴とする電子マネー補充システム。
【請求項７】
請求項５において、
前記ＩＣカードに電子マネーの上限額を保有させると共に、前記演算部は電子マネーの残高が前記下限額以下である場合に、電子マネーの残高と前記上限額を比較して差額を算出すると共に、その差額を書込む機能を有し、
前記自動取引装置は、前記カード読取書込部により前記ＩＣカードから前記差額が読取られたときに、前記差額を表示することを特徴とする電子マネー補充システム。
【発明の詳細な説明】
【技術分野】
【０００１】
本発明は、ＩＣカードへの電子マネー補充機能をもつ自動取引装置および電子マネー補充システムに関する。
【背景技術】
【０００２】
従来の自動取引装置において、キャッシュカードと電子マネーカードを兼ねるＩＣカードを投入したときに行われる電子マネー残高への補充処理は、以下のような手順で行われている。
自動取引装置のカード情報読書部がＩＣカードを受け付けると、口座情報と電子マネーカード番号、電子マネーの残高をカード情報読書部にて読み取り、必要に応じて顧客入力等を行わせ、その後これをサーバに通知する。
【０００３】
口座情報を受けたサーバの口座取引処理部は口座情報を基にユーザの口座を特定する。
そしてサーバより取引許可の通知を受けると、自動取引装置にてユーザの要求に応じた出金や入金等の取引処理が実行される．
一方、電子マネー番号と電子マネー残高が通知されたサーバの自動補充処理部は、電子マネー残高が予め設定された自動補充限度額より少ない場合、電子マネー残高と自動補充限度額との差額を求め、その差額が口座の残高よりも少ない場合はその差額を、口座の残高より多い場合はその残高を補充すべき額として自動取引装置に通知する。
【０００４】
補充すべき額が通知された自動取引装置は、カード情報読書部にて、電子マネー残高を前記補充すべき額加算後の額に書き換える。
その後、処理が終わると、自動取引装置は口座の残高を表示すると共に電子マネー残高を表示してユーザに知らせる（例えば、特許文献１参照。）。
【特許文献１】特開２００２−３４２６８０公報（第８−９頁、第６図）
【発明の開示】
【発明が解決しようとする課題】
【０００５】
しかしながら、上述した従来の技術においては、電子マネーを予め設定した金額で自動的に補充してしまうため、不必要に補充が繰返されるという問題があった。
そこで、本発明は、上述した従来技術の課題を解決するため、自動取引装置での取引時に、顧客に電子マネーの残高を再確認させる手段を提供することを目的とする。
【課題を解決するための手段】
【０００６】
本発明は、上記課題を解決するために、口座情報等と共に電子マネーの残高をＩＣカードから読取るカード読取書込部と、取引毎の顧客の操作の誘導や取引過程の状況等を示す画面情報を格納している誘導画面格納部と、前記誘導画面格納部から読み出された画面情報による画面表示を行うと共に顧客からの入力を受付ける操作表示部とを有し、取引実行時に前記操作表示部に表示される画面中に、前記カード読取書込部が読取った、電子マネーの残高を表示することを特徴とする。
【発明の効果】
【０００７】
これにより、本発明は、ＩＣカードから電子マネーの残高を読取って操作表示部に表示するので、顧客が電子マネーの補充の必要性を確認することができる。
【発明を実施するための最良の形態】
【０００８】
以下に、図面を参照して本発明によるＩＣカードへの電子マネー補充処理の実施例について説明する。
【実施例１】
【０００９】
図１は自動取引装置の構成を示すブロック図であり、図２はＩＣカードの記憶領域の構成を示す図、図３は電子マネー補充システムの構成を示す図である。
図１において、１は自動取引装置であり（以下、ＡＴＭと記す。）、操作表示部２、誘導画面格納部３、入出金部４、カード読取書込部５、メモリ６、及びこれらを制御する制御部７を備えている。
【００１０】
また、図２において、８はＩＣカードであり、電子マネーの残高及び口座情報等を記憶するＩＣチップ８ａを有している。
ここで、操作表示部２は、ＣＲＴやＬＣＤ等の表示部の画面上に、情報入力手段としてのタッチパネルを配置したもので、例えば後述する作用においてボタンの押下等はこのタッチパネル上で行われるものとし、以後のタッチパネルについてはこの記載を省略する。
【００１１】
誘導画面格納部３は取引毎の顧客の操作の誘導や取引過程の状況等を示す文言、イラスト等の画面情報および電子マネーの補充を誘導する画面情報等を格納しており、該誘導画面格納部３から制御部７により取引に応じて画面情報が読み出され、操作表示部２に表示される。なお、誘導画面格納部３は、営業店やセンタに設置された、他のファイルサーバやＷｅｂサーバに置くこともできる。
【００１２】
入出金部４は入金取引時等に顧客の投入した現金を計数して収納庫に収納し、出金取引時等に前記収納庫から現金を繰出して計数し、顧客に排出する機能を有している。
カード読取書込部５は顧客のＩＣカードのＩＣチップ８ａから電子マネーの残高や口座情報等を読取ると共に、新たな電子マネーの金額を書き込んで、更新する機能を有している。
ここでＩＣカード８のＩＣチップ８ａには、図２に示す通り、金融機関記憶領域８ｂと電子マネー記憶領域８ｃが設定され、この金融機関記憶領域８ｂには顧客が開設している金融機関の口座に対応して、氏名や住所等の顧客情報、口座番号や残高等の口座情報、指紋等の生体による認証情報、取引の履歴情報などが記憶されている。
【００１３】
そして電子マネー記憶領域８ｃには、店舗の決済端末等で現金の代わりに決済することのできる電子マネーの残高が書込み可能に記憶されている。
なお、ＩＣカード８には従来通り磁気ストライプに、口座情報等を持ち合わせるようにしてもよい。
また、金融機関記憶領域８ｂには、複数の口座の顧客情報や口座情報等を口座ごとに書き込んで格納させてもよい。
【００１４】
メモリ６は取引情報等を一時記憶するための部位である。
９はホストコンピュータであり、口座開設者である各顧客の氏名、口座番号、認証情報、口座残高、取引履歴等の各情報をデータベース９ａ等に格納している。
次に、上述した構成の作用について説明する。
なお、以下に説明する処理はＡＴＭ１に設けられた制御部７により専用メモリに格納されたプログラムに基づいて制御されるものとする。
まず、ＡＴＭ１の操作表示部２には出金や入金等の取引を選択する画面が表示されており、顧客はこの画面から希望の取引を選択する。
【００１５】
例えば顧客が出金キーを押下すると、制御部７は誘導画面格納部３からＩＣカード８の挿入を促す画面情報を読み出して操作表示部２に表示させ、これを見た顧客はＩＣカード８を挿入する。
すると、そのＩＣカード８はＡＴＭ１に取込まれ、ＩＣチップ８ａ（または磁気ストライプ）の金融機関記憶領域８ｂが、カード読取書込部５にて読取られる。
【００１６】
また、このときＩＣチップ８ａの電子マネー記憶領域８ｃも読取られ、これらの情報は制御部７によりメモリ６に記憶される。
次に、制御部７は、複数の口座情報が存在する場合は誘導画面格納部３から、取引を希望する口座を選択するよう促す画面情報を読み出して操作表示部２に表示させると、顧客はこれをみて口座を選択する。
すると、制御部７は誘導画面格納部３から希望金額の入力を促す画面情報を読み出して操作表示部２に表示させると共に、先にＩＣチップ８ａから読取った電子マネーの残高の表示を取引が終了するまで行わせる。
【００１７】
図４はこのときの電子マネーの残高の画面表示例を示す図である。
すなわち、図４（ａ）に示したように、前記希望金額の入力を促す画面にはテンキー１０と共に電子マネー残高が表示され（例えば図中左下。）、顧客がテンキー１０を押下して希望金額を入力すると、制御部７は入力された金額を操作表示部２の金額表示エリアに表示させると共にその金額をメモリ６に記憶させる。
【００１８】
そして、入力された金額と共に先にメモリ６に記憶させた金融機関記憶領域８ｂの情報を電文としてホストコンピュータ９に送信する。
ホストコンピュータ９は口座情報に基づきデータを読み出し、認証情報（例えばＡＴＭで入力された暗証番号）により本人確認を行い、口座残高を参照して取引可能か判断する。
その後、ホストコンピュータ９から取引可能な旨の通知を受けると、制御部７はメモリ６に記憶されている希望金額を読み出して入出金部４に対し希望金額分の出金を指示する。
これにより入出金部４によって出金処理が行われるが、そのホストコンピュータ９から返信を受取るまでの間、及び出金処理の手続き中に、図４（ｂ）に示すような、電子マネーの残高を操作表示部２に表示する。
処理が終了すると、現金、ＩＣカード、レシートの受取誘導や、取引が終了した旨の画面情報を誘導画面格納部３から読み出して操作表示部２に表示する。
このときにも、図４（Ｃ）に示すように、電子マネーの残高を操作表示部２に表示する。
その後、ホストコンピュータ９の口座の残高等を更新して取引を終了する。
【００１９】
尚、上記の説明では暗証番号をホストコンピュータ９に送って本人確認を行うものとしたが、ＡＴＭ１に指紋等の生体を読取る生体読取部を設けてこの生体読取部で読取った顧客の生体情報とカード８から読取った認証情報を照合してＡＴＭ１で本人確認を行うことも可能であり、また、ＩＣカード８に認証情報保有させず、ＡＴＭ１に備えた生体読取部で読取った生体情報をホストコンピュータ９に送って本人確認することも可能である。
【００２０】
以上説明したように、顧客がＡＴＭにて取引を行う際、ＩＣカードから電子マネーの残高を読取って操作表示部に表示するので、顧客に電子マネーの残高を再確認させて、金額が不足気味であれば、直ちに電子マネーを補充するよう誘導することができるという効果がある。
【実施例２】
【００２１】
この実施例２は電子マネーの補充を実行するためのもので、基本的なシステム構成は上記実施例１と同様であるが、本実施例ではＩＣカード８におけるＩＣチップ８ａの金融機関記憶領域８ｂには複数の口座の顧客情報や口座情報等が口座ごとに書込まれて格納されているものとする。
次に、この実施例２の作用について説明する。
【００２２】
尚、以下の説明は図１〜図３も参照して行うものとする。
まず、実施例１と同様に、顧客が操作表示部２から出金取引を選択すると、制御部７は誘導画面格納部３からＩＣカード８の挿入を促す画面情報を読み出して操作表示部２に表示させ、これを見て顧客はＩＣカード８を挿入する。
すると、そのＩＣカード８はＡＴＭ１に取込まれ、カード読取書込部５によりＩＣチップ８ａ（または磁気ストライプ）の金融機関記憶領域８ｂと電子マネー記憶領域８ｃが読取られる。
【００２３】
そして、金融機関記憶領域８ｂと電子マネー記憶領域８ｃから読取られた情報は制御部７によりメモリ６に記憶される。
次に、制御部７は、複数の口座情報が存在する場合には、取引を希望する口座を選択するよう促す画面情報を誘導画面格納部３から読み出して操作表示部２に表示させると、顧客はこれをみて口座を選択する。
【００２４】
すると、制御部７は誘導画面格納部３から希望金額の入力を促す画面を読み出して操作表示部２に表示させると共に、先にＩＣチップ８ａから読取った電子マネーの残高の表示と電子マネーの補充ボタン１１の表示を取引が終了するまで行う。
図５は実施例２における電子マネーの残高の表示画面例を示す図である。
すなわち、図５（ａ）に示すように、前記希望金額の入力を促す画面にはテンキー１０と共に電子マネーの残高と補充ボタン１１が近接して表示されており、電子マネーの残高を確認した顧客がＡＴＭ１で補充を行いたい場合は、この補充ボタン１１を押下する。
顧客が前記希望金額の入力を促す画面から希望金額を入金すると、制御部７は入力された金額を操作表示部２の金額表示エリアに表示させると共にその金額をメモリ６に記憶させ、この金額と共に先にメモリ６に記憶させた金融機関記憶領域８ｂの情報を電文としてホストコンピュータ９に送信する。
【００２５】
ホストコンピュータ９は口座情報に基づきデータを読み出し、認証情報（例えば、ＡＴＭで入力された暗証番号）により本人確認を行い、口座残高を参照して取引可能か判断する。
その後、ホストコンピュータ９から取引可能な旨の通知を受けると、制御部７はメモリ６に記憶されている希望金額を読み出して入出金部４に対し希望金額分の出金を指示する。
そして、ホストコンピュータ９から取引可能な旨の通知を受けると、制御部７はメモリ６に記憶されている希望金額を読み出して入出金部４に対し希望金額分の出金を指示する。
これにより入出金部４により出金処理が行われるが、そのホストコンピュータ９からの返信を受取るまでの間及び出金処理の手続き中に、制御部７は図５（ｂ）に示すような、電子マネーの残高及び補充ボタン１１を表す画面情報を誘導画面格納部３から読み出し、操作表示部２に表示する。
処理が終了すると、現金、ＩＣカード、レシートの受領誘導や、取引が終了した旨の画面情報を誘導画面表示部３から読み出して操作表示部２に表示する。
このときにも図５（ｃ）に示すように、電子マネーの残高および補充ボタン１１を表した画面を操作表示部２に表示する。
その後、制御部７から通知を受けたホストコンピュータ９は、口座の残高等を更新して取引を終了するが、図５（ａ）〜（ｃ）で示す、電子マネーの残高と共に補充ボタン１１が表示されたいずれかの画面（現金、ＩＣカード、レシートの受領誘導等の画面も含む）で、その補充ボタン１１が押下された場合は、取引終了後、電子マネーの補充に移行する。
【００２６】
図６は当該顧客の口座から電子マネーを補充する場合の画面表示例を示す図である。
まず、制御部７は図６（ａ）に示すような、現金で補充するか口座から補充するかの選択を促す文言と、口座補充ボタン１２および現金補充ボタン１３を組合せた選択画面情報を誘導画面格納部３から読み出して操作表示部２に表示する。
ここで顧客が口座補充ボタン１２を選択した場合、制御部７は先にメモリ６に記憶した金融機関記憶領域８ｂの情報を読み出し、それを各口座の残高照会の依頼と共に電文としてホストコンピュータ９に送信する。
【００２７】
その後、ホストコンピュータ９から各口座の残高が通知されると、制御部７は、図６（ｂ）に示すように、メモリ６に記憶された口座を全て読み出して操作表示部２に表示すると共に、各口座の残高をそれぞれの口座の横に表示して、顧客に取引を希望する口座を選択させる。
複数口座が存在する場合に、図６（ｂ）に示す画面を表示し、口座を選択させる。顧客が希望する口座を選択すると、制御部７は誘導画面表示部３から読み出した、図６（ｃ）に示すような画面を操作表示部２に表示する。なお、単一口座のみ存在する場合は、図６（ｂ）は表示せず、口座の選択は行わない。
【００２８】
すなわちこの画面には、希望する補充金額の入力を促す文言とテンキー１０、さらに電子マネーの残高とが表示されており、それを見た顧客がテンキー１０によって希望補充金額を入力すると、制御部７は入力された金額を操作表示部２の金額表示エリアに表示させると共にその金額をメモリ６に記憶させ、この希望補充金額と共に先にメモリ６に記憶させた金融機関記憶領域８ｂの情報を電文としてホストコンピュータ９に送信する。
【００２９】
ホストコンピュータ９は口座情報に基づきデータを読み出し、認証情報により本人確認を行い、口座残高を参照して取引可能か判断する。
そして、ホストコンピュータ９から取引可能の旨の通知を受取ると、制御部７はメモリ６に記憶させた希望補充金額を読み出し、カード読取書込部５にて電子マネーの残高を、補充金額を加算した金額に書き換え、また、ＩＣチップ８ａに記憶されている、取引を行った口座の残高を更新する。
その後、制御部７は取引が終了した旨の画面情報を誘導画面格納部３から読み出して操作表示部２に表示し、顧客にＩＣカード８を返却する。
そして、制御部７から通知を受けたホストコンピュータ９は、口座の残高等を更新し、これにより補充処理を終了する。
一方、前記図６（ａ）の画面で顧客により現金補充ボタン１３が押下された場合は次のような処理が行われる。
図７は現金によって電子マネーを補充する場合の画面表示例を示す図である。
制御部７は図７（ａ）に示すような、希望する補充金額を入力するよう促す画面情報を誘導画面格納部３から読み出し、操作表示部２に表示する。
この画面には電子マネーの残高およびテンキー１０が表示されており、顧客が希望補充金額をテンキーにより入力すると、制御部７は入力された金額を操作表示部２の金額表示エリアに表示させる。
そして、制御部７は図７（ｂ）に示すような、希望補充金額を入出金部４に投入するよう促す画面情報を誘導画面格納部３から読み出して操作表示部２に表示する。
顧客が入出金部４に現金を投入すると、投入された現金が計数され、先に入力された希望補充金額以上投入されていれば、カード読取書込部５にてＩＣカード８の電子マネーの残高を、補充金額を加算した金額に書き換え、顧客にＩＣカード８を返却する。
このとき、入力された金額より多く投入されていた場合は、その差額分に該当する釣銭を収納庫から繰出して入出金部４から顧客に返却する。
【００３０】
以上説明したように、取引の際に操作表示部に電子マネーの残高と電子マネーの補充の処理に移行するためのボタンを併せて表示し、取引の終了後に続けて電子マネーの補充処理に移行することができるので、顧客の補充のし忘れを無くすことができる。
【実施例３】
【００３１】
この実施例３の基本的なシステム構成は上記実施例１と同様であり、以下の説明は図１を参照して行うものとする。
図８は本実施例で使用するＩＣカードを示す構成図である。
本実施例のＩＣカード８は、ＩＣチップ８ａの電子マネー記憶領域８ｃに電子マネーの下限額が設定されていると共に、補充の要否を示す補充情報が設定されているものとする。また、ＩＣカード８は演算部を備えるものとする。
【００３２】
次に、この実施例の作用を説明する。
まず、顧客が買物等をしてＩＣカード８の電子マネーにて支払を行った場合、ＩＣチップ８ａの電子マネー記憶領域８ｃでは演算部にて電子マネーの残高と下限額が比較される。
比較された結果、電子マネーの残高が下限額以下である場合、補充要を示す補充情報が設定される。
【００３３】
次に、顧客がＡＴＭ１で出金等の取引を行う際、カード読取書込部５にてＩＣチップ８ａから口座情報と共に、補充情報が読取られる。
その結果、補充情報が補充要となっていれば、電子マネーの残高が下限額以下であることを示す文言、電子マネーの残高及び補充ボタン１１（図５（ａ）参照）を表示するための画面情報を誘導画面格納部３から読み出して操作表示部２に表示し、実施例１および実施例２と同様に出金取引等を行って、その取引終了後、実施例２と同様に図５、図６の画面により顧客の電子マネーの補充処理を実行する。
【００３４】
なお、ＩＣカード８に演算部が無い場合は、補充情報を持たないので、この場合はＡＴＭ１での取引時にＩＣチップ８ａから電子マネーの残高と下限額を読取って制御部７にて比較し、電子マネーの残高が下限額以下である場合、上記と同様の、電子マネーの残高が下限額以下であることを示す文言、電子マネーの残高および補充ボタン１１（図５（ａ）参照）を操作表示部２に表示し、実施例１および実施例２と同様に出金取引等を行って、取引終了後、実施例２と同様に図５、図６の画面より顧客の電子マネーの補充処理を実行するものとする。
【００３５】
以上説明したように、電子マネーの残高がＩＣカードにあらかじめ設定した下限額以下となった場合に、電子マネーの残高と共に補充が必要となったことを顧客に告げる表示を行って補充を実行するため、より確実に電子マネーの補充を行うことができると共に、ＡＴＭでは取引毎に電子マネーの残高を表示しなくて済むものとなる。
【実施例４】
【００３６】
この実施例４は電子マネーの補充を実行するためのもので、基本的なシステム構成は上記実施例１と同様であり、また、実施例２と同様にＩＣカード８におけるＩＣチップ８ａの金融機関記憶領域８ｂには複数の口座の顧客情報や口座情報等が口座ごとに書込まれて格納されているものとする。
図９は本実施例で使用するＩＣカードを示す構成図である。
【００３７】
本実施例のＩＣカード８には電子マネーの下限額の他に上限額が設定されており、また、実施例３と同様に演算部が備えられている。
このＩＣカード８では電子マネーの残高が下限額以下となった場合に、電子マネーの残高と上限額との差額が算出され、その差額が補充情報として記憶されているものとする。
次にこの実施例の作用を説明する。
【００３８】
まず、顧客が買物等をしてＩＣカード８の電子マネーにて支払を行った場合、ＩＣチップ８ａの電子マネー記憶領域８ｃでは演算部にて電子マネーの残高と下限額が比較される。
比較された結果、電子マネーの残高が下限額以下である場合は、電子マネーの残高と上限額が算出され、その差額が補充情報として記憶される。
【００３９】
次に、顧客がＡＴＭ１で取引を行う際、カード読取書込部５にてＩＣチップ８ａから金融機関記憶領域８ｂと共に、電子マネー記憶領域８ｃの情報が読取られる。
その結果、電子マネー記憶領域８ｃに前記差額を示す補充情報が記憶されている場合は、電子マネーの残高が下限額以下であることを示す文言、補充ボタン１１（図５（ａ）参照）および電子マネーの残高と上限額との差額を不足金額として操作表示部２に表示し、実施例１および実施例２と同様に出金取引等を行って、その取引終了後、実施例２と同様に顧客の電子マネーの補充処理を実行する。
【００４０】
図１０は実施例４の、口座にて電子マネーの補充を行う場合の画面表示例を示す図である。
取引が終了すると、制御部７は図１０に示すような画面情報を誘導画面格納部３から読み出して操作表示部２に表示する。
この画面には、電子マネーの補充方法を選択するよう促す文言と、不足金額、口座補充ボタン１２及び現金補充ボタン１３が表示されており、それを見た顧客が口座補充ボタン１２を押下する。
すると制御部７は、先にメモリ６に記憶した金融機関記憶領域８ｂの情報を読み出し、それを各口座の残高照会の依頼と共に電文としてホストコンピュータ９に送信する。
その後、ホストコンピュータ９から口座の残高が通知されると、制御部７は、図６（ｂ）に示すように、メモリ６に記憶された口座を全て読み出して操作表示部２に表示すると共に、各口座の残高をそれぞれの口座の横に表示して、顧客に取引を希望する口座を選択させる。
複数口座が存在する場合は、図６（ｂ）に示す画面を表示し、口座を選択させる。顧客がこの画面から希望する口座を選択すると、不足金額と金融機関記憶領域８ｂの情報を電文として選択された口座のホストコンピュータ９に送信する。なお、単一口座のみ存在する場合には、図６（ｂ）は表示せず、口座の選択は行わない。
その後は、実施例２と同様の補充処理を実行する。
【００４１】
一方、前記図１０の画面で顧客により現金補充ボタン１３が押下された場合は次のような処理が行われる。
顧客により現金補充ボタン１３が押下されると、図７（ｂ）に示す様に、不足金額を入出金部４に投入するよう促す画面情報を誘導画面格納部３から読み出して操作表示部２に表示し、その後は実施例２と同様の補充処理を実行する。
なお、ＩＣカード８上に演算部が無い場合は、補充情報をもたないので、この場合はＡＴＭ１での取引時にＩＣチップ８ａから電子マネーの残高と下限額を読取って比較し、電子マネーの残高が下限額以下である場合に、電子マネーの残高と上限額との差額を算出し、上記と同様の、電子マネーの残高が下限額以下であることを示す文言、補充ボタン１１（図５（ａ）参照）および不足金額および補充ボタン１１を操作表示部２に表示し、実施例１及び実施例２と同様に出金取引を行って、取引終了後、実施例２と同様に顧客の電子マネーの補充処理を実行するものとする。
【００４２】
以上説明したように、電子マネーの残高がＩＣカードにあらかじめ設定した下限額以下となった場合に、電子マネーの残高と予め設定した上限額との差額を求め、その差額と共に補充が必要となったことを顧客に告げる表示を行って補充を実行するため、より確実に電子マネーの補充を行うことができ、また、顧客が希望補充金額を入力する手間を省くことができる。
【図面の簡単な説明】
【００４３】
【図１】自動取引装置の構成を示すブロック図
【図２】ＩＣカードの記憶領域の構成を示す図
【図３】電子マネー補充システムの構成を示す図
【図４】実施例１における電子マネーの残高の画面表示例を示す図
【図５】実施例２における電子マネーの残高の画面表示例を示す図
【図６】顧客の口座から電子マネーを補充する場合の画面表示例を示す図
【図７】現金によって電子マネーを補充する場合の画面表示例を示す図
【図８】実施例３で使用するＩＣカードを示す構成図
【図９】実施例４で使用するＩＣカードを示す構成図
【図１０】実施例４の口座にて電子マネーの補充を行う場合の画面表示例を示す図
【符号の説明】
【００４４】
１  ＡＴＭ
２  操作表示部
３  誘導画面格納部
４  入出金部
５  カード読取書込部
６  メモリ
７  制御部
８  ＩＣカード
８ａ  ＩＣチップ  
８ｂ  金融機関記憶領域
８ｃ  電子マネー記憶領域
９  ホストコンピュータ
９ａ  データベース
１０  テンキー
１１  補充ボタン
１２  口座補充ボタン
１３  現金補充ボタン
【図１】
2006190095.tif 000003
【図２】
2006190095.tif 000004
【図３】
2006190095.tif 000005
【図４】
2006190095.tif 000006
【図５】
2006190095.tif 000007
【図６】
2006190095.tif 000008
【図７】
2006190095.tif 000009
【図８】
2006190095.tif 000010
【図９】
2006190095.tif 000011
【図１０】
2006190095.tif 000012